(57)【要約】【課題】ＦＰＣ形状を１種類とするとともに、ＦＰＣ上の信号線パターンを一定にすることによって磁気ヘッド素子間で安定したヘッド特性を有する磁気ヘッド装置を提供する。【解決手段】複数の磁気ヘッド素子１２の一側面に有するヘッドチップ１３と、ヘッドチップ１３を挟持するように配設された一対のサイドチップ１４と、これらヘッドチップ１３及びサイドチップ１４を取り付ける台座１５と、ヘッドチップ１３及びサイドチップ１４の側面に配置された一対のレール部１６と、複数の磁気ヘッド素子１２の端子部１２ａと接続されたフレキシブルプリント配線基板（以下、ＦＰＣと記す。）１８とから磁気ヘッド装置１を構成し、ＦＰＣ１８をヘッドチップ１３に対して、端子部１２ａの間隔と略同幅長を有する形状とする。また、メイン基板へ延長される信号線２０を平行等間隔に配線、全ての信号線２０の長さが同じ長さで形成する。【選択図】　図２
2004030782.tif 000002
【特許請求の範囲】
【請求項１】
テ−プ摺動面にレールを有し磁気ギャップを臨ませてなる一対のヘッドチップと、
上記摺動面にレールを有し上記一対のヘッドチップを挟持する一対のサイドチップと、
上記一対のヘッドチップ及び上記一対のサイドチップを保持する台座と、
上記ヘッドチップ上に形成された複数の磁気ヘッド素子の端子部に接続されメイン基板への複数の信号線が平行等間隔に配線され、且つ該信号線の長さが等しいフレキシブルプリント配線基板とを備えることを特徴とする磁気ヘッド装置。
【請求項２】
上記フレキシブルプリント配線基板は、略矩形形状であることを特徴とする請求項１記載の磁気ヘッド装置。
【発明の詳細な説明】
【０００１】
【発明の属する技術分野】
本発明は、磁気ヘッド装置に関し、特にフレキシブルプリント配線基板を備える磁気ヘッド装置に関する。
【０００２】
【従来の技術】
従来より、磁気記録テープの記録トラックを再生する際には、図４に示すような所謂マルチチャンネル方式の磁気ヘッド装置が知られている。この磁気ヘッド装置１００は、磁気記録テープが摺動する摺動面１０１上に、複数の磁気ヘッド素子１０２の磁気ギャップが並列して臨まされてなり、これら複数の磁気ヘッド素子１０２により、磁気記録テープに対して信号を記録再生するものである。
【０００３】
また、磁気ヘッド装置１００は、複数の磁気ヘッド素子１０２の一側面に有するヘッドチップ１０３と、ヘッドチップ１０３を挟持するように配設された一対のサイドチップ１０４と、これらヘッドチップ１０３及びサイドチップ１０４を取り付ける台座１０５と、ヘッドチップ１０３及びサイドチップ１０４の側面に配置された一対のレールチップ１０６と、複数の磁気ヘッド素子１０２の端子部１０２ａと接続されたフレキシブルプリント配線基板１０７とから構成されている。ここで、ヘッドチップ１０３及びサイドチップ１０４、台座１０５及びレールチップ１０６には、例えば、アルミナ−チタンカーバイド（Ａｌ２Ｏ３−ＴｉＣ）等の高価で高硬度なセラミックス材料が用いられている。
【０００４】
【発明が解決しようとする課題】
ところが、従来の磁気ヘッド装置１００は、図５に示すように、図示しないメイン基板とコネクタ１０９とで接続されるフレキシブルプリント配線基板（以下、ＦＰＣと記す。）１０８が屈曲形成されているため１つの磁気ヘッド装置１００に対して、少なくとも２種類のＦＰＣを用意する必要があった。また、図６に示すように、屈曲形成されるとＦＰＣ１０８上の信号線１１０の配線が複雑なパターンになり、各信号線毎にコネクタ１０９を介してのメイン基板への延長距離がＦＰＣ１０８の内側と外側で異なる。そのため、信号線毎の浮遊容量が一定でなくなり、複数の磁気ヘッド素子１０２間で良好な記録再生特性が得られない場合があった。
【０００５】
そこで本発明は、上述のような課題に鑑みてなされたものであり、ＦＰＣ形状を１種類とするとともに、ＦＰＣ上の信号線パターンを一定にすることによって磁気ヘッド素子間で安定したヘッド特性を有する磁気ヘッド装置を提供することを目的とする。
【０００６】
【課題を解決するための手段】
上述の目的を達成するために、本発明に係る磁気ヘッド装置は、テ−プ摺動面にレールを有し磁気ギャップを臨ませてなる一対のヘッドチップと、上記摺動面にレールを有し上記一対のヘッドチップを挟持する一対のサイドチップと、上記一対のヘッドチップ及び上記一対のサイドチップを保持する台座と、上記ヘッドチップ上に形成された複数の磁気ヘッド素子の端子部に接続されメイン基板への複数の信号線が平行等間隔に配線され、且つ該信号線の長さが等しいフレキシブルプリント配線基板とを備えることを特徴とする。
【０００７】
【発明の実施の形態】
本発明の具体例について、図面を参照して詳細に説明する。本発明の具体例として示す磁気ヘッド装置１は、図１及び図２に示すように、磁気記録テープが摺動する摺動面１１上に、複数の磁気ヘッド素子１２の磁気ギャップが並列して臨まされてなり、これら複数の磁気ヘッド素子１２により、磁気記録テープに対して信号を記録再生するものである。また、磁気ヘッド装置１は、複数の磁気ヘッド素子１２の一側面に有するヘッドチップ１３と、ヘッドチップ１３を挟持するように配設された一対のサイドチップ１４と、これらヘッドチップ１３及びサイドチップ１４を取り付ける台座１５と、ヘッドチップ１３及びサイドチップ１４の側面に配置された一対のレール部１６と、複数の磁気ヘッド素子１２の端子部１２ａと接続されたフレキシブルプリント配線基板（以下、ＦＰＣと記す。）１８とから構成されている。
【０００８】
図２（ａ）は、磁気ヘッド装置１の台座１６を除いた構成を側面からみた図であり、図２（ｂ）は、磁気ヘッド装置１を摺動面側からみた図である。
【０００９】
ここでＦＰＣ１８は、図２に示すように、ヘッドチップ１３に対して、端子部１２ａの間隔と略同幅長を有する形状とする。また、図３に示すように、図示しないメイン基板へコネクタ１９を介して接続される信号線２０を平行等間隔に配線し、全ての信号線２０の長さが同じ長さで形成されている。
【００１０】
これにより、図示しないメイン基板への各信号線の長さが均一になるため、各信号線の浮遊容量が一定化され、安定した読み取り／書き込み特性が得られる。また、この磁気ヘッド装置１に用いるＦＰＣの形状を２つあるヘッドチップ１３に対して統一できるため、製造コストが低減できるとともに量産性が向上する。さらに、ＦＰＣ１８を単純な略矩形状として成形できるため、ＦＰＣ製造にかかる製造工程を簡略化することもできる。
【００１１】
磁気ヘッド装置１において、複数の磁気ヘッド素子１２は、例えば、磁気抵抗効果素子等を成膜してなる再生部や、スパッタリング法及びフォトエッチング法等の手法により形成されてなる電磁誘導型の記録部をそれぞれ備え、セラミックス基板上に形成されている。ヘッドチップ１３は、例えば、アルミナ−チタンカーバイド（Ａｌ２Ｏ３−ＴｉＣ）等のセラミックス材料であって、セラミックス基板上の一側面上に並列して配された複数の磁気ヘッド素子１２を備えている。ここで、ヘッドチップ１３は、セラミックス基板上に多数の磁気ヘッド素子１２を同時に形成し、その後、セラミックス基板を所定の形状に切り出すことによって形成されている。
【００１２】
摺動面１１を構成するサイドチップ１４は、ヘッドチップ１３と同様、例えば、アルミナ−チタンカーバイド（Ａｌ２Ｏ３−ＴｉＣ）等のセラミックス材料で形成され、ヘッドチップ１３の両端を狭持するように配置されている。
【００１３】
磁気記録テープとの摺動面１１を構成するレールチップ１６は、ヘッドチップ１３及びサイドチップ１４と同様、例えば、アルミナ−チタンカーバイド（Ａｌ２Ｏ３−ＴｉＣ）等のセラミックス材料から形成されており、一対のレールチップ１４には、ヘッドチップ１３を挟み込む面に切欠部１７が形成されている。
【００１４】
尚、台座１５は、例えば、アルミナ−チタンカーバイド（Ａｌ２Ｏ３−ＴｉＣ）等のセラミックス材料から形成されている。
【００１５】
以上のように構成された磁気ヘッド装置１を製造する際には、一対のヘッドチップ１３及びサイドチップ１４、一対の台座１５及びレールチップ１６を組み合わせて接合するとともに、摺動面１１にレール加工及び円筒加工した後、ＦＰＣ１８を取り付ける。このとき、ＦＰＣ１８は、レールチップ１６に形成された切欠部１７に沿って配設されるため、非常に正確に位置決めされる。そして、ＦＰＣ１８が位置決めされた状態で、ＦＰＣ１８の信号線２０と磁気ヘッド素子１２の端子部１２ａとをワイヤーボンディング等により接続する。
【００１６】
なお、本発明は、上述した実施の形態のみに限定されるものではなく、本発明の要旨を逸脱しない範囲において、種々の変更が可能であることは勿論である。またここで、ＦＰＣ１８を上述した形状としＦＰＣ１８上の信号線２０の配線を上記のようにすることに併せて図示しないメイン基板の基板構成を適宜変更することはいうまでもない。
【００１７】
【発明の効果】
以上詳細に説明したように、本発明に係る磁気ヘッド装置は、テ−プ摺動面にレールを有し磁気ギャップを臨ませてなる一対のヘッドチップと、摺動面にレールを有し一対のヘッドチップを挟持する一対のサイドチップと、一対のヘッドチップ及び一対のサイドチップを保持する台座と、ヘッドチップ上に形成された複数の磁気ヘッド素子の端子部に接続されメイン基板への複数の信号線が平行等間隔に配線され、且つ該信号線の長さが等しいフレキシブルプリント配線基板とを備えることにより、一対のヘッドチップに対して同一のフレキシブルプリント配線基板が使用でき、製造コストが低減できるとともに、量産性が向上する。また、フレキシブルプリント配線基板を単純な略矩形状として成形できるため、このフレキシブルプリント配線基板の製造にかかる製造工程を簡略化することもできる。また、メイン基板への各信号線の長さが均一になるため、各信号線の浮遊容量が一定化され、安定した読み取り／書き込み特性が得られる。
【図面の簡単な説明】
【図１】本発明の具体例として示す磁気ヘッド装置の外観図である。
【図２】（ａ）は、上記磁気ヘッド装置の台座を除く構成の側面図であり、（ｂ）は、上記磁気ヘッド装置を摺動面側から眺望した平面図である。
【図３】上記磁気ヘッド装置のＦＰＣ形状とこのＦＰＣ上の信号線の配線パターンを説明する図である。
【図４】従来の磁気ヘッド装置の外観図である。
【図５】従来の磁気ヘッド装置を摺動面側から眺望した平面図である。
【図６】従来の磁気ヘッド装置のＦＰＣ形状とこのＦＰＣ上の信号線の配線パターンを説明する図である。
【符号の説明】
１　　　　磁気ヘッド装置
１１　　　摺動面
１２　　　磁気ヘッド素子
１３　　　ヘッドチップ
１４　　　サイドチップ
１５　　　台座
１６　　　レールチップ
１７　　　切欠部
１８　　　フレキシブルプリント配線基板
１９　　　コネクタ
２０　　　信号線
【図１】
2004030782.tif 000003
【図２】
2004030782.tif 000004
【図３】
2004030782.tif 000005
【図４】
2004030782.tif 000006
【図５】
2004030782.tif 000007
【図６】
2004030782.tif 000008